(57)【要約】【課題】長手方向の位置情報を取得することができるテープ状記録媒体を提供する。【解決手段】テープ状記録媒体１００は、第１面と第２面とを有するベース層１０１、ベース層１０１の第１面側に配され第１のデータを光学的に記録可能な第１の記録層１０３、ベース層１０１と第１の記録層１０３との間に配されるインプリント層１０２、及び第２の記録層１０４を備える。第２の記録層１０４は、ベース層１０１の第２面側に配され、磁性材料を含有し、第１のデータとは異なる第２のデータが記録されている。【選択図】図１
2015181076.tif 000002
【特許請求の範囲】
【請求項１】
第１面と第２面とを有するベース層、
前記ベース層の第１面側に配され、第１のデータを光学的に記録可能な第１の記録層、
前記ベース層と前記第１の記録層との間に配されるインプリント層、及び
前記ベース層の第２面側に配され、磁性材料を含有し、前記第１のデータとは異なる第２のデータが記録された第２の記録層、
を備える、テープ状記録媒体。
【請求項２】
前記第２のデータは、当該テープ状記録媒体の長手方向の位置情報である、
請求項１に記載のテープ状記録媒体。
【請求項３】
前記第２のデータは、前記第１の記録層に形成されるトラックの位置を示す情報である、
請求項２に記載のテープ状記録媒体。
【請求項４】
前記インプリント層は、所定のトラッキングパターンが繰り返し形成されている、
請求項１から３のいずれかに記載のテープ状記録媒体。
【請求項５】
テープ状記録媒体に対して第１のデータを記録又は再生する情報記録再生装置であって、
前記第１のデータを光学的に記録又は再生する光学記録再生部と、
前記第１のデータとは異なる第２のデータを前記テープ状記録媒体に磁気的に記録又は再生する磁気記録再生部と、
を備える、情報記録再生装置。
【請求項６】
テープ状記録媒体の製造方法であって、
第１面と第２面とを有するベース層を形成し、
前記ベース層の第１面側に配され、第１のデータを光学的に記録可能な第１の記録層を形成し、
前記ベース層と前記第１の記録層との間にインプリント層を形成し、
前記ベース層の第２面側に配され、磁性材料を含有する第２の記録層を形成し、
前記第２の記録層に、前記第１のデータとは異なる第２のデータを記録し、
前記第２のデータは、前記テープ状記録媒体の長手方向の位置情報である、
テープ状記録媒体の製造方法。
【請求項７】
更に、前記インプリント層に、所定のトラッキングパターンを繰り返し形成することを含む、
請求項６に記載のテープ状記録媒体の製造方法。
【発明の詳細な説明】
【技術分野】
【０００１】
本開示は、サーバー等のデータをバックアップするためのテープストリーマに適用することができるテープ状記録媒体に関する。
【背景技術】
【０００２】
近年、コンピュータや、インターネットの益々の発達に伴い、取り扱うデータ量が爆発的に増大している。このため、バックアップに用いられる記録媒体の大容量化が求められている。このような大容量の記録媒体として、テープ状媒体上に形成する光相変化膜にレーザ光を照射して情報を記録又は再生するテープ状記録媒体が注目されている。
【０００３】
従来、光記録により高密度に記録をするためには、あらかじめトラッキングパターンをテープ状フィルム上に転写して形成する。この転写にはロール状のエンボス型が用いられる。具体的には、トラッキングパターンにトラック固有のアドレス信号等を埋め込んだロール状のエンボス型を形成し、この型を用いてテープ状フィルムにトラッキングパターンを転写する。
このようなロール状のエンボス型を用いる場合、周期的な形状でしかトラッキングパターンを転写形成することができない。よって、トラッキングパターン内にテープ状媒体の長さ情報を埋め込むことができず、記録再生する際のトラッキングにおいて、テープ長手方向における位置を特定することが困難であった。
【先行技術文献】
【特許文献】
【０００４】
【特許文献１】特開２００６―５３９８０号公報
【発明の概要】
【発明が解決しようとする課題】
【０００５】
本開示は、長手方向の位置情報を取得することができるテープ状記録媒体を提供する。
【課題を解決するための手段】
【０００６】
本開示におけるテープ状記録媒体は、第１面と第２面とを有するベース層、ベース層の第１面側に配され第１のデータを光学的に記録可能な第１の記録層、ベース層と第１の記録層との間に配されるインプリント層、及び第２の記録層を備える。第２の記録層は、ベース層の第２面側に配され、磁性材料を含有し、第１のデータとは異なる第２のデータが記録されている。
【発明の効果】
【０００７】
本開示におけるテープ状記録媒体は、光相変化膜に記録された情報とは別に、長手方向の位置情報を取得することが可能となる。これにより、テープ位置の制御がより速やかに行え、大容量の情報の記録再生に適した情報記録再生装置の構成が可能となる。
【図面の簡単な説明】
【０００８】
【図１】一実施の形態におけるテープ状記録媒体の断面図
【図２】一実施の形態における情報記録再生装置の構成図
【図３】一実施の形態における情報記録再生装置の機能構成図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面及び以下の説明は、当業者が本開示を十分に理解するために、提供されるのであって、これらにより特許請求の範囲に記載の主題を限定することは意図されていない。
（実施の形態）
以下、図１〜図３を用いて、本開示による一実施の形態を説明する。
［１−１．テープ状記録媒体］
テープ状記録媒体１００（テープ状記録媒体の一例）は、ベースフィルム１０１（ベース層の一例）、サーボインプリント層１０２（インプリント層の一例）、第１の記録層１０３（第１の記録層の一例）、及び第２の記録層１０４（第２の記録層の一例）で構成される。
【００１１】
ベースフィルム１０１は、例えば、厚さが略６μｍのポリエチレンテレフタレートフィルムである。
【００１２】
サーボインプリント層１０２は、ベースフィルム１０１上にトラッキングパターンが形成された樹脂層である。本実施の形態では、トラッキングパターンは、例えば次のように形成される。ベースフィルム１０１上に略０．５μｍの厚さでアクリル樹脂系紫外線硬化樹脂を塗布する。その塗布された紫外線硬化樹脂にロール状エンボス型を回転させながら押し付け、紫外線を照射する。この結果、エンボス型が紫外線硬化樹脂に転写され、ベースフィルム１０１上にトラッキングパターンを有するサーボインプリント層１０２が形成される。
なお、ロール状のエンボス型は、所定のトラッキングパターンを形成している。
【００１３】
第１の記録層１０３は、トラッキングパターン上にスパッタリング法を用いて合金膜と誘電体膜と反射膜とを積層させる。合金膜は、Ｇｅ、Ｂｉ、Ｔｅを主成分とする。誘電体膜はＳｉを主成分とする。反射膜はＡｇを主成分とする。本実施の形態の第１の記録層１０３の厚さは、略１００ｎｍである。第１の記録層１０３には、後述する情報記録再生装置２００（図２）からのデータ（第１のデータの一例）を光学的に記録することができ、記録されたデータは情報記録再生装置２００（図２）により光学的に読み出すことが可能である。
【００１４】
第２の記録層１０４は、Ｆｅ系の強磁性合金粉末とカーボンブラックを主成分とするバックコート層を略０．５μｍの厚さで塗布することにより形成する。第２の記録層１０４には、後述する情報記録再生装置２００（図２）で測定されたテープ状記録媒体１００の長手方向の位置情報（第２のデータの一例）を記録することができる。このテープ長手方向の位置情報は、前記第１の記録層１０３に形成されるトラックの位置を示す。更に、記録された位置情報は、情報記録再生装置２００により読み出すことが可能である。テープ状記録媒体１００は、このように構成することにより、第１の記録層１０３に対して記録又は読み出されるデータとは異なるデータを第２の記録層１０４に対して記録又は読み出すことが可能になる。
【００１５】
［１−２．情報記録再生装置］
［１−２−１．情報記録再生装置の構成］
図２は、本実施の形態における情報記録再生装置２００（情報記録再生装置の一例）の構成を概略的に示す図である。情報記録再生装置２００は、少なくとも巻き取りリール２０１と、複数のガイドローラ２０２と、光ピック装置２０３（光学記録再生部の一例）と、磁気ヘッド装置２０６（磁気記録再生部の一例）と、繰り出しリール２０５と、を備える。光ピック装置２０３は、テープ走行路１１０上のテープ状記録媒体１００と対向して配される。磁気ヘッド装置２０６は、テープ走行路１１０を挟んで光ピック装置２０３に対向して配される。
テープ状記録媒体１００は、カートリッジ２０４内に収納された状態で、情報記録再生装置２００の繰り出しリール２０５にセットされる。
巻き取りリール２０１は、リール駆動機構（図３）により回転し、カートリッジ２０４からテープ状記録媒体１００を巻き取る。繰り出しリール２０５は、巻き取りリール２０１の回転に合わせて回転し、テープ状記録媒体１００を繰り出す。
ガイドローラ２０２は、巻き取りリール２０１と繰り出しリール２０５間においてテープ状記録媒体１００のためのテープ走行路１１０を形成し、テープ状記録媒体１００を所望の方向に走行させるように所定間隔で配設されている。
光ピック装置２０３は、レーザ光源と受光部とを備える光ピックアップにより構成される。光ピック装置２０３は、走行するテープ状記録媒体１００にレーザ光源からのレーザ光を照射し、第１の記録層１０３（図１）に対する信号の書き込みや読み出しを行なう。
磁気ヘッド装置２０６は磁気ヘッドを備える。磁気ヘッド装置２０６は、走行するテープ状記録媒体１００の第２の記録層１０４に対して、信号の記録や再生を行う。
図３に示すように、情報記録再生装置２００は更に、制御部２０８とメモリ２０９とを備える。制御部２０８は、ＣＰＵその他プロセッサ等により構成される。制御部２０８は、光ピック装置２０３及び磁気ヘッド装置２０６による信号の読み取り及び記録を制御する。制御部２０８はまた、リール駆動機構２０７を駆動して、巻き取りリール２０１の回転制御を行う。メモリ２０９は、読み取られたデータや記録するデータ等を格納する。
［１−２−２．情報記録再生装置の動作］
【００１６】
情報記録再生装置２００の巻き取りリール２０１は、カートリッジ２０４からローディング機構（図示しない）によりテープ状記録媒体１００を引き出す。このとき、繰り出しリール２０５と巻き取りリール２０１の回転制御により、テープ状記録媒体１００は光ピック装置２０３の前を走行する。そして、巻き取りリール２０１の回転制御により、テープ状記録媒体１００は、複数のガイドローラ２０２に案内されながら光ピック装置２０３の前を通過し、巻き取りリール２０１に巻き取られる。
磁気ヘッド装置２０６は、テープ状記録媒体１００の第１の記録層１０３に書き込まれた信号情報を、制御部２０８によりその位置情報として算出する。磁気ヘッド装置２０６は、制御部２０８により算出された位置情報を、第２の記録層１０４に磁気記録する。磁気ヘッド装置２０６はまた、第２の記録層１０４に記録された位置情報を読み取ることもできる。
【００１７】
本実施の形態では、情報記録再生装置２００は、第１の記録層１０３に対し信号を記録又は再生する時は４．９ｍ／ｓの速度でテープ状記録媒体１００を走行させ、信号を早送り又は巻き戻す時は２０ｍ／ｓの速度でテープ状記録媒体１００を走行させている。更に、本実施の形態では、テープ状記録媒体１００の早送りを２０ｍ／ｓで行うと同時に、磁気ヘッド装置２０６により磁性体を含有した第２の記録層１０４に最短記録波長略５μｍで記録されたテープ長手方向の位置情報を４ＭＨｚの基準周波数で再生する。情報記録再生装置２００は、所定のテープ長手方向の位置に近づくと巻き取りリール２０１の回転制御を減速させて、テープ状記録媒体１００の走行を制御することもできる。このため、情報記録再生装置２００は、テープ状記録媒体１００におけるその所定の長手方向の位置に速やかに到達することができる。
［１−３．効果等］
【００１８】
本実施の形態に係るテープ状記録媒体１００（テープ状記録媒体の一例）は、第１面と第２面とを有するベースフィルム１０１（ベース層の一例）、ベースフィルム１０１の第１面側に配され第１のデータを光学的に記録可能な第１の記録層１０３（第１の記録層の一例）、ベースフィルム１０１と第１の記録層１０３との間に配されるサーボインプリント層１０２（インプリント層の一例）、及び第２の記録層１０４（第２の記録層の一例）を備える。第２の記録層１０４は、ベースフィルム１０１の第２面側に配され、磁性材料を含有し、第１のデータとは異なる第２のデータが記録される。
本実施の形態に係る情報記録再生装置２００（情報記録再生装置の一例）は、第１のデータを光学的に記録又は再生する光ピック装置２０３（光学記録再生部の一例）と、第１のデータとは異なる第２のデータをテープ状記録媒体１００に磁気的に記録又は再生する磁気ヘッド装置２０６（磁気記録再生部の一例）と、を備える、
このため、大容量の信号を光ピック装置２０３により第１の記録層１０３上に光学的に記録することとは別に、磁性体を含有した第２の記録層１０４に磁気ヘッド装置２０６により長手方向の位置情報を記録することができる。この結果、シームレスのスタンパを使用して、ロールインプリントによって繰り返しトラッキングパターンを形成する場合であっても、テープ状記録媒体１００の長手方向の位置情報を記録し、読み取り可能にすることができる。このため、情報記録再生時に、テープ状記録媒体１００の長手方向における位置情報を容易に取得することができる。
（その他実施の形態）
以上のように、本出願において開示する技術の例示としての一実施形態を説明した。しかしながら、本開示における技術は、これに限定されず、適宜、変更、置き換え、付加、省略などを行った実施の形態にも適用可能である。
上記実施の形態において、情報記録再生装置２００は、テープ状記録媒体１００の第１の記録層１０３に第１のデータを記録するのとほぼ同時に、第２の記録層１０４に第２のデータを記録してもよい。或いは、情報記録再生装置２００は、テープ状記録媒体１００が装着された後、第１の記録層１０３に第１のデータを記録する前に、第２の記録層１０４へ第２のデータを記録してもよい。或いは、第２のデータは、テープ状記録媒体１００の製造時に第２記録層１０４へ記録されていてもよい。
また、上記実施の形態においては、制御部２０８は、一つのプロセッサにより構成されていることに限定されず、複数のプロセッサからなり、光ピック装置２０３、磁気ヘッド装置２０６にそれぞれ設けられていてもよい。
また、本開示は、テープ状記録媒体又は情報記録再生装置として実現されるものに限定されない。例えば、テープ状記録媒体の製造方法も対象とする。
【産業上の利用可能性】
【００１９】
本開示は、例えばサーバー等のデータをバックアップするテープストリーマに適用することが可能である。
【符号の説明】
【００２０】
１００  テープ状記録媒体
１０１  ベースフィルム
１０２  サーボインプリント層
１０３  第１の記録層
１０４  第２の記録層
２００  情報記録再生装置
２０１  巻き取りリール
２０２  ガイドローラ
２０３  光ピック装置
２０４  カートリッジ
２０５  繰り出しリール
２０６  磁気ヘッド装置
２０７  リール駆動機構
２０８  制御部
２０９  メモリ
【図１】
2015181076.tif 000003
【図２】
2015181076.tif 000004
【図３】
2015181076.tif 000005